(57)【要約】【課題】主に自動車の空調や音響機器等の操作に用いられる表示装置に関し、簡易な構成で表示の見易いものを提供することを目的とする。【解決手段】蛍光表示管１のアノード３に接続された第一の電圧供給手段６と、ロジック５に接続された第三の電圧供給手段８の間に、第一の遅延手段１１を設け、アノード３やフィラメント４への電圧印加を遅らせ、電源供給時には常に、ロジック５に先に電圧を印加することによって、ロジック５の制御がない状態でセグメント２が点滅することを防ぎ、簡易な構成で、表示の見易い表示装置を得ることができる。【選択図】図１
2009080240.tif 000002
【特許請求の範囲】
【請求項１】
複数のセグメントを表示する蛍光表示管と、この蛍光表示管のアノード及びフィラメント、ロジックに各々接続された第一及び第二、第三の電圧供給手段からなり、上記第一の電圧供給手段と第三の電圧供給手段の間に、第一の遅延手段を設けた表示装置。
【請求項２】
第三の電圧供給手段に、第二の遅延手段を接続した請求項１記載の表示装置。
【発明の詳細な説明】
【技術分野】
【０００１】
本発明は、主に自動車の空調や音響機器等の操作に用いられる表示装置に関するものである。
【背景技術】
【０００２】
近年、車室内のフロントパネル部に、表示装置や様々な操作体を備えた入力装置を配置し、これらによってエアコンやオーディオ等の各種電子機器の操作を行うものが増えている。
【０００３】
このような表示装置や入力装置について、主にエアコン用のものを例に、図３〜図５を用いて説明する。
【０００４】
図４は従来の表示装置のブロック回路図であり、同図において、１は複数のガラス板が積層された蛍光表示管で、複数の蛍光体のセグメント２から形成されたアノード３と、電熱線から形成されたフィラメント４、半導体等のロジック５から形成されている。
【０００５】
また、６は昇圧用レギュレータ等の第一の電圧供給手段、７は降圧用レギュレータ等の第二の電圧供給手段で、第一の電圧供給手段６が蛍光表示管１のアノード３に接続されると共に、第二の電圧供給手段７が第一の電圧供給手段６とフィラメント４に接続されている。
【０００６】
さらに、８はボルテージレギュレータ等の第三の電圧供給手段で、この第三の電圧供給手段８がロジック５に接続されると共に、第一及び第三の電圧供給手段６と８がダイオードを介して、バッテリから電源を供給するイグニションスイッチ９に接続されて、表示装置１０が構成されている。
【０００７】
そして、このような表示装置１０が、図３（ａ）の正面図に示すように、車室前方のフロントパネル部に装着されると共に、この下方には、背面に複数のスイッチ接点（図示せず）が形成された押釦２１や、回転つまみ２２等の操作体を備えた入力装置２３が装着される。
【０００８】
また、この表示装置１０や入力装置２３が、コネクタやリード線（図示せず）等によって、エアコンやオーディオ等の各種電子機器を制御する自動車の電子回路に電気的に接続される。
【０００９】
以上の構成において、イグニションスイッチ９を接続すると、バッテリから表示装置１０や入力装置２３に電源が供給され、この状態で例えば、押釦２１や回転つまみ２２を操作すると、この背面のスイッチ接点の電気的接離が行われ、これを車両の電子回路が検出して、エアコンの風向きや風量、温度等の切換えが行われる。
【００１０】
また、この操作に伴って、第一及び第二の電圧供給手段６と７、第三の電圧供給手段８から、蛍光表示管１のアノード３とフィラメント４、ロジック５に各々電圧が印加されて、フィラメント４から熱電子がアノード３へ放出され、ロジック５の制御によって所定のセグメント２が発光して、図３（ｂ）に示すように、風向きや風量、温度等が蛍光表示管１に表示される。
【００１１】
つまり、入力装置２３の押釦２１や回転つまみ２２を操作して、エアコンの風向きや風量、温度等の切換えを行うと共に、表示装置１０の蛍光表示管１に、現在の風向きや風量、温度等の設定状態が表示され、目視によって設定状態が確認できるように構成されている。
【００１２】
なお、以上のような表示装置１０においては、イグニションスイッチ９が切断された状態から、イグニションスイッチ９を接続して表示装置１０に電源が供給された際、図５（ａ）の電圧波形図に示すような、第一及び第二の電圧供給手段６と７から、数百ｍＡの比較的大きな電流が通電されるアノード３やフィラメント４と、図５（ｂ）に示すような、第三の電圧供給手段８から数ｍＡの小さな電流が通電されるロジック５の電圧印加のタイミングに、ごく僅かな時間ｔ１ではあるが遅れが生じる場合がある。
【００１３】
そして、このようにアノード３やフィラメント４に対し、ロジック５への電圧印加が遅れ、ロジック５の制御がない状態で、フィラメント４から熱電子がアノード３へ放出されてしまうと、図３（ｃ）に示すように、蛍光表示管１の風向きや風量、温度等の機器の設定とは関係のない、意味をなさない箇所のセグメント２が点滅してしまう場合がある。
【００１４】
また、イグニションスイッチ９が切断され、表示装置１０への電源供給が停止した際に、図５に示すように、上記とは逆にロジック５への電圧印加が時間ｔ２だけ速く停止された場合にも、同様に、ごく僅かな瞬間的なものではあるが、関係のない箇所のセグメント２の点滅が生じてしまう場合があるものであった。
【００１５】
なお、この出願の発明に関連する先行技術文献情報としては、例えば、特許文献１が知られている。
【特許文献１】特開２０００−１１９２６号公報
【発明の開示】
【発明が解決しようとする課題】
【００１６】
しかしながら、上記従来の表示装置においては、表示装置１０に電源を供給する際、アノード３やフィラメント４に対し、ロジック５への電圧印加が遅れた場合や、逆にロジック５への電圧印加が速く停止された場合には、蛍光表示管１の機器の設定とは関係のない箇所のセグメント２が点滅してしまう場合があるため、表示が見づらいものとなってしまうという課題があった。
【００１７】
本発明は、このような従来の課題を解決するものであり、簡易な構成で表示の見易い表示装置を提供することを目的とする。
【課題を解決するための手段】
【００１８】
上記目的を達成するために本発明は、以下の構成を有するものである。
【００１９】
本発明の請求項１に記載の発明は、蛍光表示管のアノードに接続された第一の電圧供給手段と、ロジックに接続された第三の電圧供給手段の間に、第一の遅延手段を設けて表示装置を構成したものであり、第一の遅延手段によってアノードやフィラメントへの電圧印加を遅らせ、電圧供給時には常に、ロジックに先に電圧が印加されるため、ロジックの制御がない状態でセグメントが点滅することを防ぎ、簡易な構成で、表示の見易い表示装置を得ることができるという作用を有する。
【００２０】
請求項２に記載の発明は、請求項１記載の発明において、第三の電圧供給手段に、第二の遅延手段を接続したものであり、第二の遅延手段によって蛍光表示管のロジックへの電圧印加の停止を遅らせることで、電源切断時にも、ロジックの制御がない状態でセグメントが点滅することを防止することができるという作用を有する。
【発明の効果】
【００２１】
以上のように本発明によれば、簡易な構成で、表示の見易い表示装置を実現することができるという有利な効果が得られる。
【発明を実施するための最良の形態】
【００２２】
以下、本発明の実施の形態について、主にエアコン用の表示装置を例に、図１〜図３を用いて説明する。
【００２３】
なお、背景技術の項で説明した構成と同一構成の部分には同一符号を付して、詳細な説明を簡略化する。
【００２４】
（実施の形態）
図１は本発明の一実施の形態による表示装置のブロック回路図であり、同図において、１は複数のガラス板が積層された蛍光表示管で、複数の蛍光体のセグメント２から形成されたアノード３と、電熱線から形成されたフィラメント４、半導体等のロジック５から形成されている。
【００２５】
また、６は昇圧用レギュレータ等の第一の電圧供給手段、７は降圧用レギュレータ等の第二の電圧供給手段で、第一の電圧供給手段６が蛍光表示管１のアノード３に接続されると共に、第二の電圧供給手段７が第一の電圧供給手段６とフィラメント４に接続されている。
【００２６】
そして、８はボルテージレギュレータ等の第三の電圧供給手段で、この第三の電圧供給手段８がロジック５に接続されると共に、第一及び第三の電圧供給手段６と８がダイオードを介して、バッテリから電源を供給するイグニションスイッチ９に接続されている。
【００２７】
さらに、１１はトランジスタ１２やコンデンサ１３、複数の抵抗等によって形成された第一の遅延手段、１５は容量が１００μＦ前後のコンデンサ等の第二の遅延手段で、第一の遅延手段１１が第一の電圧供給手段６と第三の電圧供給手段８に接続されると共に、第二の遅延手段１５が第三の電圧供給手段８に接続されて表示装置２０が構成されている。
【００２８】
そして、このような表示装置２０が、図３（ａ）の正面図に示すように、車室前方のフロントパネル部に装着されると共に、この下方には、背面に複数のスイッチ接点（図示せず）が形成された押釦２１や、回転つまみ２２等の操作体を備えた入力装置２３が装着される。
【００２９】
また、この表示装置２０や入力装置２３が、コネクタやリード線（図示せず）等によって、エアコンやオーディオ等の各種電子機器を制御する自動車の電子回路に電気的に接続される。
【００３０】
以上の構成において、イグニションスイッチ９を接続すると、バッテリから表示装置２０や入力装置２３に電源が供給され、この状態で例えば、押釦２１や回転つまみ２２を操作すると、この背面のスイッチ接点の電気的接離が行われ、これを車両の電子回路が検出して、エアコンの風向きや風量、温度等の切換えが行われる。
【００３１】
また、この操作に伴って、表示装置２０の第一の電圧供給手段６からは蛍光表示管１のアノード３にＤＣ１０〜８０Ｖ前後の電圧が、第二の電圧供給手段７からはフィラメント４に２００〜６００ｍＡ前後の電流でＤＣ１〜２Ｖ前後の電圧が、第三の電圧供給手段８からはロジック５に５ｍＡ前後の電流でＤＣ５Ｖ前後の電圧が、各々印加される。
【００３２】
そして、この電圧印加によって、フィラメント４から熱電子がアノード３へ放出されると共に、ロジック５の制御によって所定のセグメント２が発光して、図３（ｂ）に示すように、風向きや風量、温度等が蛍光表示管１に表示される。
【００３３】
つまり、入力装置２３の押釦２１や回転つまみ２２を操作して、エアコンの風向きや風量、温度等の切換えを行うと共に、表示装置２０の蛍光表示管１に、現在の風向きや風量、温度等の設定状態が表示され、目視によって設定状態が確認できるように構成されている。
【００３４】
なお、イグニションスイッチ９が切断された状態から、イグニションスイッチ９を接続して表示装置２０に電源を供給した際には、蛍光表示管１のアノード３やフィラメント４には、第一及び第二の電圧供給手段６と７から数百ｍＡの比較的大きな電流が、ロジック５には第三の電圧供給手段８から数ｍＡの小さな電流が各々通電されるが、本実施の形態においては、第一の遅延手段１１によって、常にアノード３やフィラメント４よりも先に、ロジック５に電圧が印加されるようになっている。
【００３５】
すなわち、電源の切断状態から、表示装置２０に電源が供給されると、先ず、第三の電圧供給手段８からロジック５に電圧が印加され、同時に、第三の電圧供給手段８から第一の遅延手段１１に電圧が印加されて、コンデンサ１３に充電が行われるが、この時には第一の電圧供給手段６からは電圧は出力されていない。
【００３６】
そして、コンデンサ１３が充電され所定の電位になると、トランジスタ１２がスイッチング動作して切換わり、第一の電圧供給手段６が作動してアノード３に電圧が印加されると共に、第二の電圧供給手段７からフィラメント４に電圧が印加され、ロジック５がどのセグメント２に電圧印加するかを制御した状態で、フィラメント４から熱電子がアノード３へ放出される。
【００３７】
つまり、第一の電圧供給手段６と第三の電圧供給手段８の間に設けた、第一の遅延手段１１によって、図２（ａ）の電圧波形図に示すように、第一及び第二の電圧供給手段６や７からのアノード３やフィラメント４への電圧印加を、時間Ｔ１からＴ２に遅らせ、図２（ｂ）に示すように、第三の電圧供給手段８からのロジック５への電圧印加を、これらよりも常に時間Ｔだけ先に行うように構成されている。
【００３８】
したがって、ロジック５に電圧が印加されず、この制御がない状態でフィラメント４から熱電子がアノード３へ放出され、蛍光表示管１の機器の設定とは関係のない、意味をなさない箇所のセグメント２が点滅することを防ぎ、常にロジック５による制御がなされた状態で所定のセグメント２が発光し、見易い表示が行えるようになっている。
【００３９】
さらに、イグニションスイッチ９が切断され、表示装置２０への電源供給が停止した際には、第二の遅延手段１５によって、常にアノード３やフィラメント４よりも後に、ロジック５の電圧印加が停止するようになっている。
【００４０】
すなわち、表示装置２０への通電が停止した際には、図２（ａ）に示すように、第一及び第二の電圧供給手段６や７からの、アノード３やフィラメント４への電圧印加は時間Ｔ３で切断されるが、ロジック５に電圧を印加していた第三の電圧供給手段８には、通電中に充電されたコンデンサ等の第二の遅延手段１５が接続されている。
【００４１】
したがって、通電が停止した後も、第三の電圧供給手段８には第二の遅延手段１５から電源が供給されるため、図２（ｂ）に示すように、ロジック５への電圧印加は時間Ｔ４からＴ５だけ長くなり、通電停止はアノード３やフィラメント４に比べ、時間Ｔだけ後になる。
【００４２】
つまり、第三の電圧供給手段８に接続された第二の遅延手段１５によって、蛍光表示管１のロジック５への電圧印加の停止を遅らせ、電源切断時にも、ロジック５の制御がない状態で、セグメント２が点滅することを防ぐように構成されている。
【００４３】
このように本実施の形態によれば、蛍光表示管１のアノード３に接続された第一の電圧供給手段６と、ロジック５に接続された第三の電圧供給手段８の間に、第一の遅延手段１１を設け、アノード３やフィラメント４への電圧印加を遅らせ、電源供給時には常に、ロジック５に先に電圧を印加することによって、ロジック５の制御がない状態でセグメント２が点滅することを防ぎ、簡易な構成で、表示の見易い表示装置を得ることができるものである。
【００４４】
また、第三の電圧供給手段８に第二の遅延手段１５を接続し、第二の遅延手段１５により蛍光表示管１のロジック５への電圧印加の停止を遅らせることによって、電源切断時にも、ロジック５の制御がない状態でセグメント２が点滅することを防止することができる。
【００４５】
なお、以上の説明では表示装置を、主にエアコンの操作に用いた場合について説明したが、コンパクトディスクやカーラジオ等のオーディオ機器や、その他の機器の操作等に用いても本発明の実施は可能である。
【産業上の利用可能性】
【００４６】
本発明による表示装置は、簡易な構成で、表示の見易いものを実現することができ、主に自動車の空調や音響機器等の操作用として有用である。
【図面の簡単な説明】
【００４７】
【図１】本発明の一実施の形態による表示装置のブロック回路図
【図２】同電圧波形図
【図３】表示装置と入力装置の正面図
【図４】従来の表示装置のブロック回路図
【図５】同電圧波形図
【符号の説明】
【００４８】
１  蛍光表示管
２  セグメント
３  アノード
４  フィラメント
５  ロジック
６  第一の電圧供給手段
７  第二の電圧供給手段
８  第三の電圧供給手段
９  イグニションスイッチ
１１  第一の遅延手段
１２  トランジスタ
１３  コンデンサ
１５  第二の遅延手段
２０  表示装置
２１  押釦
２２  回転つまみ
２３  入力装置
【図１】
2009080240.tif 000003
【図２】
2009080240.tif 000004
【図３】
2009080240.tif 000005
【図４】
2009080240.tif 000006
【図５】
2009080240.tif 000007